(57)【要約】【目的】特に、大魚用の釣竿のグリップ部分は、把持して滑り難く、かつ、グリップ部分の長さを適宜変更させたいものである。そこで、簡単な構成で、グリップ部分の長さを変更可能とする釣竿を提供する。【構成】外周面は把持して滑らぬための微細凹凸面１とし、内周面は釣竿の本体位置に挿入され、その端部を固着するインサート用丸棒状体２を挿入内接し得る短筒体３であり、釣竿のグリップ相当部分に介在させたインサート用丸棒状体２に、この短筒体３の複数個を直列に挿通固定せしめて釣竿のグリップ部分４として用いることを特徴とする釣竿のグリップ部形成用短筒体とした。【選択図】図１
0003137114.tif 000002
【実用新案登録請求の範囲】
【請求項１】
外周面は把持して滑らぬための微細凹凸面（１）とし、内周面は釣竿の本体位置に挿入され両端部を固着するインサート用丸棒状体（２）を挿入内接し得る短筒体（３）であって、釣竿のグリップ相当部分に介在させた上記インサート用丸棒状体（２）に、上記短筒体（３）の複数個を直列に挿通固定せしめて釣竿のグリップ部分（４）として用いることを特徴とする釣竿のグリップ部形成用短筒体。
【請求項２】
短筒体（３）を、アルマイト加工したアルミ製の外周に、ローレット加工を施した請求項１記載の釣竿のグリップ部形成用短筒体。
【請求項３】
短筒体（３）を、合成樹脂製とした請求項１記載の釣竿のグリップ部形成用短筒体。
【請求項４】
短筒体（３）の外周形状を、多角形とした請求項１乃至請求項３のいずれかに記載の釣竿のグリップ部形成用短筒体。
【請求項５】
短筒体（３）を、各色に着色したものとした請求項１乃至請求項４のいずれかに記載の釣竿のグリップ部形成用短筒体。
【考案の詳細な説明】
【技術分野】
【０００１】  この考案は、釣竿のグリップ部分に用いる装飾を兼ねた滑り防止用の短筒体であって、この短筒体の複数個を直列に連接固定し、グリップ部として用いるものである。
【背景技術】
【０００２】  釣竿のグリップ部分とは、通称ロッドと称する釣竿の全長において、釣糸の巻取りリールを取り付けるためや、様々な滑り止め機能を有するグリップ用材を取り付けるために、リールシートや、肉薄のアウターパイプを設ける所謂バットと称する部分に、このグリップ部分が存在している。【０００３】  すなわち、釣竿の竿尻である主にゴム製のエンドグリップに近いバット部分である。なお、大魚用の釣竿のグリップ部分は２ヶ所あり、エンドグリップに近い方をリァーグリップと云い、巻取りリールより竿先の方のものをフォーグリップと呼称している。
そして、大魚用の釣竿のグリップ部分は、その握りやすさや滑り防止策と共に、握る部分の長さもそれ相応に変化させたものが用いられている。【０００４】  従来の一般的なグリップ部分の表面形態は、ＥＶＡと略称する発泡系の樹脂製なり，収縮性チューブとか、強化繊維にマトリックス樹脂を含浸させたシート状の中間基材であるプリプレグを巻回するもの、又は金属製のもの等々その形成様式は大変多様である。【０００５】  そこで、これらの先行技術を見ると、例えば釣竿本体に固定されるリールシートにおいて、釣用リールを保持するリールシートの周方向又は長手方向に沿って、すなわち外周面全体に整列形成されている凹凸による滑止部材を備えた発明の名称「リールシートおよびこれを用いた釣竿」というものがある（例えば、特許文献１参照。）。【０００６】  また、開放端部外周面にテーパ状の締付具を形成した有底筒状の主部と、この主部の内方に所定間隔の竿挿入部があって同心形成した芯軸部とによりグリップ本体を形成し、このグリップ本体を、竿挿入部を介して釣竿の基端部に嵌装した状態で、締付リングを螺嵌させることにより、主部と芯軸部とで釣竿の基端部を挟圧させてグリップ本体を取付けた考案の名称「継竿用グリップ装置」というものがある（例えば、特許文献２参照。）。【０００７】  更に、前出例のようにリールシートの表面を凹凸加工することではなく、釣竿本体を握った釣人の手のひら側を互いに弾性的に近接／離反する一対の挟持部材があって、グリップの周面に露出している挟持機構を有したものがある。これは、釣人がグリップを握ったときには、釣人が使用するグローブの生地が一対の挟持部材間に自動的に挟み込まれ、釣人がグローブを使用しないときは、釣人の手の肉が同様に挟み込まれるようにして、釣竿本体と釣人の手とが確実に所定の連結力で連結されることができるという発明の名称「釣竿」というものがある（例えば、特許文献３参照。）【０００８】  ところで、前出例のリールシートに滑り止め用の凹凸による滑止部材を備えたものは、極一例であって、例えば、金属パイプの表周面にローレット加工による微細凹凸を有したものも含め、いずれも釣竿のグリップ部分の滑り止め強化策であり、同様な改善策は多数様々なものが見受けられる。【０００９】  なお、有底筒状の主部と芯軸部とで釣竿の基端部を挟圧させてグリップ本体を取付けたものは、グリップ部分の交換の可能性を持たせ得るものである。また、グリップを握った時に、釣人が使用するグローブの生地が一対の挟持部材間に自動的に挟み込むようにしたものは、グリップ部分の滑り止め効果を高度に得られるものであることは納得できる。
【特許文献１】特開２００３−１１６４２１号公報（［００１０］〜［００１６］図２、図５、図６）
【特許文献２】実開昭５１−０５１２９３号公報（１頁、第１図、第２図）
【特許文献３】特２００５−０９５０９８号公報（［０００７］〜［００２２］、図２、図５、図７）
【考案の開示】
【考案が解決しようとする課題】
【００１０】  ところが、上記の特許文献１は、滑り止めとしての効果性はともかく、グリップ部分の長さが固定されるし、簡単にはグリップ部分を交換できない構造となってしまう。
また、特許文献２は、グリップ部分の交換はできやすいとは云え、複雑な構造であるグリップ部分の長さの異なるものを、幾つか用意する必要がありコストが嵩む欠点がある。【００１１】  更に、特許文献３は、滑り止めとしての効果性は高いと考えられるが、この構成だと、筒状のグリップには、釣竿本体を露出させるための開口部を有したり、しかも釣竿本体に対して周方向に回転可能にしたり、更には、グリップの内周面と釣竿本体の外周面との間に所定の隙間を形成させる必要がある等々構成が大層複雑である。
この考案は、これらの諸欠点を解消しようとするのが目的である。
【課題を解決するための手段】
【００１２】  先ず、この考案の基本的な構成を図面に基づき説明する。
すなわち、図１及び図２に示すように、外周面は把持して滑らぬための微細凹凸面１として、内周面はロッドと称する釣竿の本体位置に挿入され、その両端部を固着するインサート用丸棒状体２を挿入内接し得る短筒体３がこの考案の主要部である。
短筒体３であるから、「インサートリング」と呼称したい。【００１３】  そして、図３のように、釣竿のグリップ相当部分に介在させたインサート用丸棒状体２に、短筒体３の所要個数を直列に挿通させて、それらを適当な慣用手段で固定せしめ、結果として図４に示すような釣竿のグリップ部分４を形成させるものとして用いることを特徴とする釣竿のグリップ部形成用短筒体であり、これをこの考案の基本構成とする。
なお、この考案の短筒体３は、リアーグリップ用であり、釣竿として撓る必要のある場所でもあるフォーグリップ用としては採用しないものとする。【００１４】  以上のことから、単体の短筒体３の長さを一定のものにして、同じ短筒体３を複数個直列配置させるなり、幾種類かの異なった長さのものを作り、それらを組み合わせるなりして、好みの長さのグリップ部分４を形成させることができるようにする。【００１５】  また、図２の（Ａ）は一般的に外周を円筒状としたものだが、（Ｂ）に示すように、短筒体３の外周を多角形状とするもよいし、図示省略したが、好みの色に着色してもよいことは云うまでもない。【００１６】  更に、インサート用丸棒状体２は、本質的には丸棒であっても構わないが、軽くするためにパイプ体とした方が好ましいので、各図示共にパイプとし、強度の観点からグラスファイバー製とした。
【考案の効果】
【００１７】  上記のように構成したから、単体の短筒体３の長さを決めたものとしておけば、同じ短筒体３で、その所要個数を直列配置するだけで、所望の長さのグリップ部分４を形成させることができて大層便利な釣竿となった。
したがって、短筒体３を一定の形のものにすることにより、コストを低減できる効果を生ずる。しかも、釣り人自身で好みの長さにこれらの組立てができるようになった。【００１８】  また、短筒体３の長さを自由に設定することは勿論、外周を円筒形でなく、多角形とすれば、それなりの滑り止め効果を得られるし、その微細凹凸面１の凹凸度と共に、色彩を様々なものにし得れば楽しいグリップ部分４を形成させることができるようになる。
【考案を実施するための最良の形態】
【００１９】  この考案の短筒体３を実施するための最良の形態は、コスト面から考慮して、材料はアルマイト加工したアルミ製の円筒体とし、その両端部を少し残して他の周面部をローレット加工による微細凹凸面１としたものとする。
その大きさは内径２０ｍｍ程度で、長さを５０ｍｍ程度が適当である。【００２０】  組立てに用いるインサート用丸棒状体２は、強靭なグラスファイバー製のパイプとし、図１の破線で示したもの、又は図３に示すように、リァーグリップ用のものであって、その介在するバッド部分のロッドの一部を担当するものともなり、その外周は当然短筒体３が内接し得る太さのものとしている。【００２１】  長さは図４に見るように、図の右端である後端部はエンドグリップ５に、前端は図示しないリールを挟んで固定する２つのカラー６で構成するリールシート７に至っており、その両端部を強力な接着剤で固着させるなり、リングネジ８等で固定させるなりする。
【実施例１】
【００２２】  次は、実施例１について述べる。図１又は図２の（Ａ）のものは、内径２２ｍｍ、外径３５ｍｍで、長さを５０ｍｍとしたアルミ製の円筒体を用い、幅を３５ｍｍにローレットを施したものを、アルマイト加工し、ゴールデン色としたものである。
【実施例２】
【００２３】  実施例２としては、図２の（Ｂ）に示した外周を五角形状としたものである。実用的には六角形から八角形程度のものが、把持感覚性が好いようである。
図例は、全長に渡って五角形体として示したが、ローレットを施した部分のみを五角形体とし、両端部は円形としてもよいことは云うまでもなく設計上の問題である。
【図面の簡単な説明】
【００２４】
【図１】  この考案の実施例にて、リァーグリップ用として使用状態とする組立て過程を示す説明用の斜視図である。（実施例１）
【図２】  この考案の実施例にて、外周の形状を円形としたもの（Ａ）と、他の実施例で多角形としたもの（Ｂ）とを示した斜視図である。（実施例１・実施例２）
【図３】  この考案の実施例を、組み立てる過程で示す正面図である。（実施例１）
【図４】  図３の組み立てが完成した状態で示す正面図である。（実施例１）
【符号の説明】
【００２５】  １  微細凹凸面
２  インサート用丸棒状体
３  短筒体
４  グリップ部分
５  エンドグリップ
６  カラー
７  リールシート
８  リングネジ
【図１】
0003137114.tif 000003
【図２】
0003137114.tif 000004
【図３】
0003137114.tif 000005
【図４】
0003137114.tif 000006